(57)【要約】  着座した使用者に対しスライド（往復）形態のエクササイズを提供する、小型で容易に保管可能な腹部エクササイズ装置について記載する。さらに、クッションが、揺動／ねじり運動も可能にすることができるように回転することができる。その結果として、エクササイズ装置のスライドモードおよび／またはスライド＋ねじりモードは、ウエストの筋肉を鍛えるためにより広範囲の運動を可能にすると共に、ウエスト部位の引締めおよび調整をより有効に促進するのに役立つ。【選択図】  図３
2012523287.tif 000002
【特許請求の範囲】
【請求項１】
スライド式腹部エクササイズマシンであって、
円弧形状を有する少なくとも１つのスタンドであり、該スタンドの両端部が支持脚を形成し、該スタンドの中間部が把持部を形成する、少なくとも１つのスタンドと、
少なくとも１つの前記スタンドの第１の部分および第２の部分に結合され、前記スタンドに対し構造上の剛性および横揺れ防止のうちの少なくとも一方を提供する、少なくとも１つのブラケットと、
両端部が、前記少なくとも１つのブラケットおよび前記少なくとも１つのスタンドに結合された少なくとも１つの円弧形状スライドレールであり、該円弧形状スライドレールの中間部が前記円弧形状スライドレールの両端部より低い、少なくとも１つの円弧形状スライドレールと、
前記少なくとも１つの円弧形状スライドレールに取付け可能なスライドシートであり、前記円弧形状スライドレールに沿ってスライドすることができるように脱線防止部材およびスライド部材を有するスライドシートと、
を備える、スライド式腹部エクササイズマシン。
【請求項２】
前記把持部がスリップ防止材料で覆われている、請求項１に記載のスライド式腹部エクササイズマシン。
【請求項３】
複数の前記スタンド、前記ブラケットおよび前記円弧形状スライドレールを備え、前記円弧形状スライドレールが互いに実質的に平行に配置されている、請求項１に記載のスライド式腹部エクササイズマシン。
【請求項４】
前記スライド部材がホイールである、請求項３に記載のスライド式腹部エクササイズマシン。
【請求項５】
前記スライドシートの一部分が略Ｈ字形であり、前記脱線防止部材が前記スライドシートの一端に配置されている、請求項３に記載のスライド式腹部エクササイズマシン。
【請求項６】
前記スライドシートに結合されたクッションと、前記円弧形状スライドレールに接触している前記スライドシートの部分との間に旋回装置をさらに備える、請求項１に記載のスライド式腹部エクササイズマシン。
【請求項７】
前記旋回装置が、
クッションに結合されたスピンドルと、
前記円弧形状スライドレールに接触している前記スライドシートの一部分に結合されたスピンドルスリーブであり、前記スピンドルが該スピンドルスリーブ内に回転可能に設置されることにより、前記クッションが、前記円弧形状スライドレールに接触している前記スライドシートの前記一部分の周囲で旋回することが可能になる、スピンドルスリーブと、
を備える、請求項１に記載のスライド式腹部エクササイズマシン。
【請求項８】
前記円弧形状スライドレールに接触している前記スライドシートの前記一部分の上部に配置された緩衝部材をさらに備える、請求項７に記載のスライド式腹部エクササイズマシン。
【請求項９】
前記クッションの底部に配置されたスペーサであって、前記円弧形状スライドレールに接触している前記スライドシートの前記一部分の周囲での前記クッションの回転運動の範囲を制限するように動作するスペーサをさらに備え、
前記制限された回転運動の範囲で、前記スペーサが前記緩衝部材と接触する、請求項８に記載のスライド式腹部エクササイズマシン。
【請求項１０】
スライド式腹部エクササイズマシンであって、
座っている使用者を支持する支持手段と、
前記支持手段を把持する把持手段と、
前記支持手段に対し構造上の剛性および横揺れ防止のうちの少なくとも一方を提供する手段と、
着座手段と、
前記着座手段に結合されたスライド手段と、
前記支持手段と前記構造上の剛性および横揺れ防止のうちの少なくとも一方を提供する手段とのうちの少なくとも一方に結合された、前記着座手段に座っている使用者に対し弧状双方向移動運動を提供する手段と、
を備える、スライド式腹部エクササイズマシン。
【請求項１１】
前記把持手段がスリップ防止材料で覆われている、請求項１０に記載のスライド式腹部エクササイズマシン。
【請求項１２】
前記スライド手段がホイールを使用する、請求項１０に記載のスライド式腹部エクササイズマシン。
【請求項１３】
前記スライド手段に対する脱線防止手段をさらに備える、請求項１０に記載のスライド式腹部エクササイズマシン。
【請求項１４】
前記着座手段および前記スライド手段に結合された旋回手段をさらに備える、請求項１０に記載のスライド式腹部エクササイズマシン。
【請求項１５】
前記旋回手段が、
前記着座手段に結合されたスピンドルと、
前記スライド手段に結合されたスピンドルスリーブと、
を備える、請求項１４に記載のスライド式腹部エクササイズマシン。
【請求項１６】
前記スライド手段の上部に配置された緩衝手段をさらに備える、請求項１５に記載のスライド式腹部エクササイズマシン。
【請求項１７】
前記着座手段の底部に配置された接触手段であって、前記スライド手段の周囲での前記着座手段の回転運動の範囲を制限するように動作する接触手段をさらに備え、
前記制限された回転運動の範囲で、前記接触手段が前記緩衝手段と接触する、請求項１６に記載のスライド式腹部エクササイズマシン。
【請求項１８】
着座形態のエクササイズを行う方法であって、
エクササイズ装置のシートに着座する着座ステップであり、前記エクササイズ装置が、
スタンドの両端部が支持脚を形成し、前記スタンドの中間部が把持部を形成する、円弧形状を有する少なくとも１つのスタンドと、
少なくとも１つの前記スタンドの第１の部分および第２の部分に結合され、かつ前記スタンドに対し構造上の剛性および横揺れ防止のうちの少なくとも一方を提供する少なくとも１つのブラケットと、
両端部が、前記少なくとも１つのブラケットおよび前記少なくとも１つのスタンドに結合された少なくとも１つの円弧形状スライドレールであり、前記円弧形状スライドレールの中間部が前記円弧形状スライドレールの両端部より低い、少なくとも１つの円弧形状スライドレールと、
前記少なくとも１つの円弧形状スライドレールの上に取付け可能なスライドシートであり、前記円弧形状スライドレールに沿ってスライドすることができるように脱線防止部材およびスライド部材を有するスライドシートと、
を備える、着座ステップと、
前記把持部を把持する把持ステップと、
少なくとも腹筋を関与させて、前記スライドシートを前記円弧形状スライドレールの第１の方向において上方に向かわせる第１の関与ステップと、
前記少なくとも腹筋を関与させて、前記スライドシートを前記円弧形状スライドレールの反対の第２の方向に向かわせる第２の関与ステップと、
を含む、着座形態のエクササイズを行う方法。
【請求項１９】
前記エクササイズ装置が、前記スライドシートに結合された前記クッションと前記スライドシートとの間に旋回機構をさらに備え、前記使用者がさらに、前記少なくとも腹筋を関与させて前記クッションを旋回させる、請求項１８に記載の着座形態のエクササイズを行う方法。
【発明の詳細な説明】
【技術分野】
【０００１】
[0001]本発明は、エクササイズ（運動）装置に関する。より詳細には、本発明は、使用者のためのウエストを重視したスライド運動を組み込んだエクササイズ装置に関する。
【背景技術】
【０００２】
[0002]基本的に、身体の一部または種々の筋肉あるいは筋肉群に効く、種々のタイプのフィットネスエクササイズに合わせられたエクササイズ装置が市販されている。これらエクササイズ装置には、トレッドミル、サイクリングマシンおよびウエイトトレーニングマシンなどがある。これらのエクササイズ装置は、通常、サイズが非常に大きく、特に利用できる居住空間が限られている使用者にとって、保管には不都合である。
【０００３】
[0003]幾分か小型の１つのエクササイズ装置が、「Ｓｗｉｎｇ  Ｔｏｒｑｕｅ  Ｆｉｔｎｅｓｓ  Ｄｅｖｉｃｅ」と題する中国実用新案第２８９７３２５号明細書に記載されており、同文献には、限られたねじり／旋回式に身体を回転させることによりエクササイズ運動を達成するフィットネス装置が開示されている。このフィットネス装置はサイズが比較的小さく、保管に都合がよい。中国実用新案第２８９７３２５号明細書の図１において、本体１は、下部ブラケット１１、旋回ホイールアセンブリ１２および調節器１３を備える。旋回ホイールアセンブリ１２は、下部ブラケット１１の中間ブラケット１１１の上方に配置されており、旋回ホイールアセンブリ１２には、回転部品１２１があり、それにより、旋回ホイールアセンブリ１２の上部ホイール１２２が底部ホイール１２３に対して３６０度回転することができる。上部ホイール１２２の旋回に必要であるスリップ防止ベルト１３１の締め付けにより調節器１３を制御できるように、上部ホイール１２２の外縁にスリップ防止ベルト１３１および調節器１３が設置される。本体１がスタンド１４に連結されると、椅子が構成される。そして、着席した使用者は、座っているときに自身のウエストを旋回させて、ウエストの形を良くするためにウエストの筋肉を鍛えることができる。
【０００４】
[0004]しかしながら、このエクササイズ装置は旋回運動でしかウエストを鍛えることができないため、使用者は、いくつかの結果を達成するために非常に長期間このエクササイズ装置を使用しなければならない。
【発明の概要】
【発明が解決しようとする課題】
【０００５】
[0005]したがって、小型のサイズも維持しながら、ウエストの筋肉をより効率的に鍛えることができるようにするエクササイズ装置が長年必要とされてきた。こうした装置の詳細について以下のセクションで説明する。
【課題を解決するための手段】
【０００６】
[0006]以下、請求項に記載されている主題のいくつかの態様を基本的に理解してもらうために、簡略化した概要を提示する。この概要は、広範囲の概説ではなく、重要な／必須の要素を特定するように、または請求項に記載されている主題の範囲を明確にするようには意図されていない。この概要の目的は、以下に提示するより詳細な説明に対する前置きとしていくつかの概念を簡略化した形態で提示することである。
【０００７】
[0007]本開示の１つの態様によれば、スタンドの両端部が支持脚を形成し、スタンドの中間部が把持部を形成する、円弧形状を有する少なくとも１つのスタンドと、少なくとも１つの支持スタンドの第１の部分および第２の部分に結合され、スタンドに対し構造上の剛性および横揺れ防止のうちの少なくとも一方を提供する、少なくとも１つのブラケットと、両端部が、少なくとも１つのブラケットおよび少なくとも１つのスタンドに結合された、少なくとも１つの円弧形状スライドレールであって、円弧形状スライドレールの中間部が円弧形状スライドレールの両端部より低い、少なくとも１つの円弧形状スライドレールと、少なくとも１つの円弧形状スライドレールの上に取付け可能なスライドシートであって、円弧形状スライドレールに沿ってスライドすることができるように脱線防止部材およびスライド部材を有するスライドシートと、スライドシートに結合されたクッションとを備える、スライド式腹部マシンが提供される。
【０００８】
[0008]本開示の別の態様では、座っている使用者を支持する手段と、支持手段を把持する手段と、支持手段に対し構造上の剛性および横揺れ防止のうちの少なくとも一方を提供する手段と、着座手段と、着座手段に結合されたスライド手段と、支持手段と構造上の剛性および横揺れ防止の少なくとも一方を提供する手段とのうちの少なくとも一方に結合された、着座手段に座っている使用者に対し弧状双方向移動運動を提供する手段とを備える、スライド式腹部マシンが提供される。
【０００９】
[0009]本開示のさらに別の態様では、エクササイズ装置のシートに座るステップであって、エクササイズ装置が、スタンドの両端部が支持脚を形成し、スタンドの中間部が把持部を形成する、円弧形状を有する少なくとも１つのスタンドと、少なくとも１つの支持スタンドの第１の部分および第２の部分に結合され、スタンドに対し構造上の剛性および横揺れ防止のうちの少なくとも一方を提供する、少なくとも１つのブラケットと、両端部が、少なくとも１つのブラケットおよび少なくとも１つのスタンドに結合された、少なくとも１つの円弧形状スライドレールであって、円弧形状スライドレールの中間部が円弧形状スライドレール両端部より低い、少なくとも１つの円弧形状スライドレールと、少なくとも１つの円弧形状スライドレールの上に取付け可能なスライドシートであって、円弧形状スライドレールに沿ってスライドすることができるように脱線防止部材およびスライド部材を有するスライドシートと、スライドシートに結合されたクッションとを備える、ステップと、把持部を把持するステップと、少なくとも腹筋を関与させて、スライドシートを円弧形状スライドレールの第１の方向において上方に向かわせる第１の関与ステップと、少なくとも腹筋を関与させて、スライドシートを円弧形状スライドレールの反対の第２の方向に向かわせる第２の関与ステップとを含む、着座形態のエクササイズを行う方法が提供される。
【００１０】
[0010]上述した目的および関連する目的を達成するために、本明細書では、いくつかの例示的な態様を、以下の説明および添付図面に関連して説明する。しかしながら、これらの例示的な態様は、請求項に記載されている主題の原理を採用することができるさまざまな方法のうちのごくわずかを示すものであり、請求項に記載されている主題は、こうした例示的な態様およびそれら例示的な態様の均等物のすべてを包含するように意図されている。他の利点および新規の特徴は、以下の詳細な説明を図面とともに考慮する際に明らかとなろう。したがって、本開示の他の態様は、本明細書の全体にわたって見出される。
【図面の簡単な説明】
【００１１】
【図１】従来技術による旋回式腹部エクササイズ装置の構造図である。
【図２】例示的なスライド式腹部エクササイズ装置の３次元組立分解図である。
【図３】例示的なスライド式腹部エクササイズ装置の３次元図である。
【図４】例示的なスライド式腹部エクササイズ装置の動作概略図である。
【図５】別の例示的なスライド式腹部エクササイズ装置の３次元組立分解図である。
【図６】図５の例示的なスライド式腹部エクササイズ装置の動作概略図である。
【発明を実施するための形態】
【００１２】
[0017]本明細書に開示するエクササイズ装置のさまざまな実施形態は、エクササイズのためにスライド運動を可能にし、それにより、脇腹および腹部の筋肉に対し往復運動を行わせることができる。さらに、さまざまな実施形態におけるクッションは、スライドシートの周囲で揺動することができ、それにより、揺動／ねじり運動も可能にすることができる。したがって、例示的なエクササイズ装置のスライドモードおよび／または「スライド＋ねじり」モードは、ウエストの筋肉を鍛えるためにより広範囲の運動を可能にすると共に、ウエスト部位の引締めおよび調整をより有効に促進するのに役立つ。
【００１３】
[0018]さまざまな例示的な実施形態では、エクササイズ装置は、剛性を提供するかまたは横揺れ防止を提供するブラケット、スライドシートおよびクッションを備えており、ブラケットには、地面の上方でエクササイズ装置を支持することができる地面接触部材を備えたスタンドが結合されている。各スタンドは、上部に、円弧形状ハンドル部が設けられている。スタンドは、２つの実質的に平行な弧状スライドレールによって連結されている。弧状スライドレールの中間は、弧状スライドレールの両端より低い。スライドシート／フレームの両側に、脱落防止部材（または脱線防止部材）および複数のスライド面／ホイール（車輪）が設けられている。脱落防止部材は、スライドシート／フレームが弧状スライドレールから脱線するのを制限し、スライド面／ホイールは、弧状スライドレールに移動可能に取り付けられている。クッションは、スライドシート／フレームの上に設置され、クッションとスライドシート／ホイールとの間に旋回構造（旋回装置）が設けられることにより、クッションがスライドシート／フレーム上で回転するのを可能にする。
【００１４】
[0019]例示的なエクササイズ装置を使用するとき、使用者は、クッションの上に座り、２つの円弧形状ハンドル部を保持し、腹筋を関与させて、スライドシート／フレームを弧状スライドレールに沿って往復式に移動させることができる。さらに、別の実施形態では、使用者はまた、旋回構造の機能により自身のヒップをねじり／回転運動で揺動させることも可能である。スライド運動または「スライド＋旋回」運動のいずれかにより、座っていながら、エクササイズの効果の向上を達成することができる。
【００１５】
[0020]サイズがより大きい従来技術による装置と比較して、例示的なエクササイズ装置は、構造が単純であるだけでなく、サイズがより小さく、それにより、わずかな空間のみを必要として使用することができ、使用しないときは、例示的なエクササイズ装置のサイズが小型であるために容易に保管することができる。
【００１６】
[0021]図２〜図４を参照すると、例示的なエクササイズ装置は、一続きの結合された要素を備える。スタンド２１にブラケット２が結合されることにより、スタンド２１の横方向の制限および構造上の剛性が提供され、それにより発生する可能性のあるいかなる横揺れまたは曲げも低減する。スタンド２１を、スタンド２１の略中間部分に弧状上部領域２２を有する略逆Ｕ字形支持体として示す。弧状上部領域２２の表面は、使用者の手に適応するようにスリップ防止材料２２１で覆われている。スタンド２１の底部は、脚を形成し、任意のスリップ防止クッション２１１を有していてもよく、スリップ防止クッション２１１は、スタンド端部／脚が床上でスライドしないように固定する摩擦要素として使用することができる。２つのスタンド２１は、設計上の実現に応じて、ブラケット２またはスタンド２１のいずれかに結合されている、２つの平行な弧状スライドレール２３によって連結されている。弧状スライドレール２３の中間は、弧状スライドレール２３の両端より低い。
【００１７】
[0022]スライドシート３は、いくつかの要素を含み、「Ｈ」字形スライドフレーム３１を有するように示されている。脱落防止部材３２（または脱線防止部材）は、スライドフレーム３１の下側に配置されており、弧状スライドレール２３の底部にタブまたは突出要素を有する。スライドフレーム３１の下方に面する側にはスライド部材またはホイール３３が配置されている。スライドフレーム３１は、弧状スライドレール２３の上に設置され、スライド部材またはホイール３３は、弧状スライドレール２３に移動可能に取り付けられる。スライドシート３は、脱落防止部材３２によって制限されているため、スライドするときに弧状スライドレール２３から離脱することができない。さらに、弧状スライドレール２３の中間が弧状スライドレール２３の両縁部より低いため、スライドシート３は、通常、重力により弧状スライドレール２３の中間で静止する。
【００１８】
[0023]クッション４はスライドシート３の上部に設置され、クッション４を、エクササイズを行っているときに使用者４９に快適さを提供するために、スポンジ、発泡体など、弾性材料から作製することができる。さらに、クッション４を、いくつかの異なる材料またはクッションの「層」から構成してもよい。
【００１９】
[0024]マシンを使用しているとき、使用者は、クッション４に、例えば、弧状スライドレール２３の中心の静止下方「重力」位置にあるクッション４に座ることができ、手でスタンド２１の２つの上部領域２２を保持して、腹筋を使用してスライドシート３を弧状スライドレール２３の上で往復運動によりスライドさせることができる。概して、運動は、スライドレール２３の両端に近づくときのスライドレール２３の弧による上方への上昇と、スライドレール２３の中間に近づくときのスライドレール２３の弧の中心への下方への下降とのうちの１つである。スライドシート３の運動の完全な範囲は、弧状スライドレール２３の長さによって制限され、弧状スライドレール２３の弧形状のために、使用者は、横方向の往復運動を経験することができる。弧状スライドレール２３の弧の大きさを増大させることによって、エクササイズの難易度を増大させることができる。したがって、「自然な」スライド運動を用いる実行が容易なフィットネスエクササイズを、座っていながら、多大な力を必要とすることなく行うことができる。本明細書に記載した例示的なスライド式エクササイズ装置は、構造が単純であるだけでなく、サイズも小さく、椅子程度の空間があればよい。さらに、サイズが小さいために、容易に保管することができる。
【００２０】
[0025]以下、図５および図６を参照してみると、腹部またはウエスト部位の筋肉に対するエクササイズ効果を向上させるために、上述したクッション４とスライドシート３との間に旋回構造が配置されている。旋回構造は、概して、クッション４のシートプレート４５の底部のおよそ中心に設置されているスピンドル４１と、スライドフレーム３１のおよそ中心に設置されているスピンドルスリーブ３４とを備える。スピンドル４１は、スピンドルスリーブ３４内に移動可能に設置されており、いくつかの実施形態ではシートプレート４５に固定されているクッション４は、スライドフレーム３１の周囲で旋回することができる。旋回構造を、それぞれの要素の略中心点で結合されているように示しかつ説明していることが理解されるが、中心以外に配置される旋回機構を有する旋回構造を、本開示の趣旨および範囲から逸脱することなく使用してもよいということを認識されたい。例えば、スピン可能なリング状構造、またはボールベアリングあるいはディスクアセンブリなどを用いてもよい。
【００２１】
[0026]上記に加えて、スライドフレーム３１の上部に１つ以上の緩衝部材３５を配置することができる。クッション４の底部にいくつかのスペーサ４２があってもよい。クッション４がスライドフレーム３１（またはクッション４）の周囲で旋回するとき、スペーサ４２の長さは、緩衝部材３５またはスライドフレーム３１の非開放領域のいずれかによって制限される。すなわち、使用者に提供される旋回運動の範囲を、スペーサ４２が緩衝部材３５にぶつかるかまたは所望の他の任意の制限機構にぶつかることによって確定されるように、クッションの自由掃引を制御することによって制限することができる。したがって、スライドシート３が、「往復」運動で弧状スライドレール２３上を移動しているとき、使用者は、スペーサ４２の長さに応じて、完全な範囲であっても制限されていてもよい旋回運動を組み込むことも可能である。
【００２２】
[0027]さらに、上記図２〜図４において述べたように、スタンド２１の「上部」にスリップ防止材料２２１を配置することができ、スタンド２１の底部にスライド防止クッション２１１を配置することができる。
【００２３】
[0028]図６は、使用者が、例示的なエクササイズ装置を用いてスライド運動および旋回運動を行っている状態を示しており、自明であるものとして理解される。
【００２４】
[0029]本開示の趣旨および範囲から逸脱することなく、例示的な実施形態に対して多数の変形および変更を行うことができることが理解されるべきである。例えば、弧状スライドレールの数または形状、スライドシートの形状、またはクッションの形状および材料などは、本開示の範囲内にある。クッションの形状を円形あるいは正方形または他の任意の幾何学的形状に変更することなどの変形は、本開示によって支持されているものとして理解される。また、例示的な実施形態は２つの別個のスタンド２１を示すが、設計の選好に従って単一のより大きいスタンドの使用を用いてもよい。
【００２５】
[0030]上述したことは、１つまたは複数の実施形態の例を含む。当然ながら、上述した実施形態を説明する目的で、構成要素または方法の考えられるすべての組合せを説明することは不可能であるが、当業者であれば、さまざまな実施形態のさらなる多くの組合せおよび置換えが可能であることを理解するであろう。したがって、説明した実施形態は、添付の特許請求の範囲の趣旨および範囲内にあるこうしたすべての改変、変更および変形を包含するように意図されている。
【図１】
2012523287.tif 000003
【図２】
2012523287.tif 000004
【図３】
2012523287.tif 000005
【図４】
2012523287.tif 000006
【図５】
2012523287.tif 000007
【図６】
2012523287.tif 000008
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
スライド式腹部エクササイズマシンであって、
円弧形状を有する少なくとも１つのスタンドであり、該スタンドの両端部が支持脚を形成し、該スタンドの中間部が把持部を形成する、少なくとも１つのスタンドと、
少なくとも１つの前記スタンドの第１の部分および第２の部分に結合され、前記スタンドに対し構造上の剛性および横揺れ防止のうちの少なくとも一方を提供する、少なくとも１つのブラケットと、
両端部が、前記少なくとも１つのブラケットおよび前記少なくとも１つのスタンドに結合された少なくとも１つの円弧形状スライドレールであり、該円弧形状スライドレールの中間部が前記円弧形状スライドレールの両端部より低い、少なくとも１つの円弧形状スライドレールと、
前記少なくとも１つの円弧形状スライドレールに取付け可能なスライドシートであり、前記円弧形状スライドレールに沿ってスライドすることができるように脱線防止部材およびスライド部材を有するスライドシートと、
前記スライドシートに結合されたクッションと、
前記クッションと、前記円弧形状スライドレールに接触している前記スライドシートの一部分との間に設けられた旋回装置と
を備える、スライド式腹部エクササイズマシン。
【請求項２】
前記把持部がスリップ防止材料で覆われている、請求項１に記載のスライド式腹部エクササイズマシン。
【請求項３】
複数の前記スタンド、前記ブラケットおよび前記円弧形状スライドレールを備え、前記円弧形状スライドレールが互いに実質的に平行に配置されている、請求項１に記載のスライド式腹部エクササイズマシン。
【請求項４】
前記スライド部材がホイールである、請求項３に記載のスライド式腹部エクササイズマシン。
【請求項５】
前記スライドシートの一部分が略Ｈ字形であり、前記脱線防止部材が前記スライドシートの一端に配置されている、請求項３に記載のスライド式腹部エクササイズマシン。
【請求項６】
前記旋回装置が、
前記クッションに結合されたスピンドルと、
前記円弧形状スライドレールに接触している前記スライドシートの一部分に結合されたスピンドルスリーブであり、前記スピンドルが該スピンドルスリーブ内に回転可能に設置されることにより、前記クッションが、前記円弧形状スライドレールに接触している前記スライドシートの前記一部分の周囲で旋回することが可能になる、スピンドルスリーブと、
を備える、請求項１に記載のスライド式腹部エクササイズマシン。
【請求項７】
前記円弧形状スライドレールに接触している前記スライドシートの前記一部分の上部に配置された緩衝部材をさらに備える、請求項６に記載のスライド式腹部エクササイズマシン。
【請求項８】
前記クッションの底部に配置されたスペーサであって、前記円弧形状スライドレールに接触している前記スライドシートの前記一部分の周囲での前記クッションの回転運動の範囲を制限するように動作するスペーサをさらに備え、
前記制限された回転運動の範囲で、前記スペーサが前記緩衝部材と接触する、請求項７に記載のスライド式腹部エクササイズマシン。
【請求項９】
スライド式腹部エクササイズマシンであって、
座っている使用者を支持する支持手段と、
前記支持手段を把持する把持手段と、
前記支持手段に対し構造上の剛性および横揺れ防止のうちの少なくとも一方を提供する手段と、
着座手段と、
前記着座手段に結合されたスライド手段と、
前記支持手段と前記構造上の剛性および横揺れ防止のうちの少なくとも一方を提供する手段とのうちの少なくとも一方に結合された、前記着座手段に座っている使用者に対し弧状双方向移動運動を提供する手段と、
前記着座手段および前記スライド手段に結合された旋回手段と
を備える、スライド式腹部エクササイズマシン。
【請求項１０】
前記把持手段がスリップ防止材料で覆われている、請求項９に記載のスライド式腹部エクササイズマシン。
【請求項１１】
前記スライド手段がホイールを使用する、請求項９に記載のスライド式腹部エクササイズマシン。
【請求項１２】
前記スライド手段に対する脱線防止手段をさらに備える、請求項９に記載のスライド式腹部エクササイズマシン。
【請求項１３】
前記旋回手段が、
前記着座手段に結合されたスピンドルと、
前記スライド手段に結合されたスピンドルスリーブと、
を備える、請求項９に記載のスライド式腹部エクササイズマシン。
【請求項１４】
前記スライド手段の上部に配置された緩衝手段をさらに備える、請求項１３に記載のスライド式腹部エクササイズマシン。
【請求項１５】
前記着座手段の底部に配置された接触手段であって、前記スライド手段の周囲での前記着座手段の回転運動の範囲を制限するように動作する接触手段をさらに備え、
前記制限された回転運動の範囲で、前記接触手段が前記緩衝手段と接触する、請求項１４に記載のスライド式腹部エクササイズマシン。
【請求項１６】
着座形態のエクササイズを行う方法であって、
エクササイズ装置のシートに着座する着座ステップであり、前記エクササイズ装置が、
スタンドの両端部が支持脚を形成し、前記スタンドの中間部が把持部を形成する、円弧形状を有する少なくとも１つのスタンドと、
少なくとも１つの前記スタンドの第１の部分および第２の部分に結合され、かつ前記スタンドに対し構造上の剛性および横揺れ防止のうちの少なくとも一方を提供する少なくとも１つのブラケットと、
両端部が、前記少なくとも１つのブラケットおよび前記少なくとも１つのスタンドに結合された少なくとも１つの円弧形状スライドレールであり、前記円弧形状スライドレールの中間部が前記円弧形状スライドレールの両端部より低い、少なくとも１つの円弧形状スライドレールと、
前記少なくとも１つの円弧形状スライドレールの上に取付け可能なスライドシートであり、前記円弧形状スライドレールに沿ってスライドすることができるように脱線防止部材およびスライド部材を有するスライドシートと、
前記スライドシートに結合されたクッションと、
前記クッションと前記スライドシートとの間に設けられた旋回装置と
を備える、着座ステップと、
前記把持部を把持する把持ステップと、
少なくとも腹筋を関与させて、前記スライドシートを前記円弧形状スライドレールの第１の方向において上方に向かわせる第１の関与ステップと、
前記少なくとも腹筋を関与させて、前記スライドシートを前記円弧形状スライドレールの反対の第２の方向に向かわせる第２の関与ステップと、
を含む、着座形態のエクササイズを行う方法。
【国際調査報告】
2012523287.tif 000009